(57)【要約】【課題】  試験孔の簡易な悪用によるガス漏洩を防止する。【解決手段】  試験孔形成部Ｌａに螺合する取付雄ねじ部１１ａ、内部に試験孔形成部Ｌａに連通する開口室部１１ｂ、これから先端側に通じる開口孔部１１ｃ、これを閉塞する付勢された弁体１２、開口孔部１１ｃに連通する取付雌ねじ部１１ｄを有する弁閉塞具１０と、取付雄ねじ部２１ａを取付雌ねじ部１１ｄに螺合することで開口孔部１１ｃを塞ぐ蓋具２０と、取付雄ねじ部４１ｃが取付雌ねじ部１１ｄに螺合することで開口孔部１１ｃと連通する貫通孔４３を備え、弁体１２を付勢力に抗して押圧作動するための作動軸５０を有するプラグ具４０とからなる。蓋具２０のフランジ部２１ｂの側面に特殊工具によって着脱操作を可能にする切り欠き２１ｃを設ける。試験孔の非使用時に弁閉塞具１０に蓋具２０を取り付け、試験孔の使用時に弁閉塞具１０にプラグ具４０を取り付ける。【選択図】  図１
2006118955.tif 000002
【特許請求の範囲】
【請求項１】
ガス配管の途中に開口する試験孔形成部に取り付けられる取付部が基端側に形成され、該基端側の内部に前記試験孔形成部に連通する開口室部を有すると共に、該開口室部から先端側に通じる開口孔部を有し、前記開口室部には、前記開口孔部を閉塞するように付勢された弁体が設けられ、先端側の内部には前記開口孔部に連通する凹状の取付雌部が形成された弁閉塞具と、
前記取付雌部に取り付けられる取付雄部が形成され、該取付雄部を前記取付雌部に取り付けることによって前記開口孔部を塞ぐ蓋具と、
先端側に接続部が形成され、基端側に前記取付雌部に取り付けられる取付雄部が形成され、内部に先端側から基端側に貫く貫通孔が形成され、前記取付雄部が前記取付雌部に取り付けられることによって前記開口孔部と前記貫通孔とを連通させ、前記貫通孔に前記弁体を付勢力に抗して押圧作動するための作動軸が設けられたプラグ具と
を有してなることを特徴とするガス配管の試験孔構成具。
【請求項２】
前記プラグ具の作動軸は、前記貫通孔に摺動可能に嵌合する摺動部と該摺動部の基端側に突設されて前記弁体を押圧する押圧部とを有してなり、
前記摺動部に前記貫通孔の先端側と基端側とを連通する連通孔が形成されていることを特徴とする請求項１に記載のガス配管の試験孔構成具。
【請求項３】
前記蓋具は、前記弁閉塞具の取付雌部を覆って塞ぐフランジ部を備え、該フランジ部の側面に特殊工具と係合して前記蓋具の着脱操作を可能にする切り欠きが形成されていることを特徴とする請求項１又は２に記載のガス配管の試験孔構成具。
【請求項４】
前記特殊工具及び前記蓋具の少なくともいずれかは該特殊工具及び該蓋具が互いに引き合うような磁性を有することを特徴とする請求項３に記載のガス配管の試験孔構成具。
【請求項５】
前記弁閉塞具の先端側に形成された凹部に前記フランジ部が収容され、且つ前記蓋具の取付雄部が前記弁閉塞具の取付雌部に取り付けられた状態で、前記弁閉塞具の先端側端部に取り付けられて前記フランジ部と前記凹部との間に形成される隙間を覆うキャップ具を備えることを特徴とする請求項３又は４に記載のガス配管の試験孔構成具。
【請求項６】
ガス配管の途中に開口する試験孔形成部を設け、内部に前記試験孔形成部に連通する開口孔部を有して、該開口孔部を閉塞するように付勢する弁体が設けられた弁閉塞具を、前記試験孔形成部に取り付け、前記弁閉塞具の先端側に形成されて前記開口孔部に連通する取付雌部に、フランジ部の側面に特殊工具によって着脱操作を可能にする切り欠きを備えた蓋具を取り付けたことを特徴とするガス配管の試験孔構造。
【請求項７】
前記蓋具が取り付けられた前記弁閉塞具の先端側端部に、前記弁閉塞具の先端側に形成されて前記フランジ部を収容する凹部と該凹部内に収容されたフランジ部との間に形成される隙間を覆うキャップ具を取り付けたことを特徴とする請求項６に記載のガス配管の試験孔構造。
【請求項８】
先端側に接続部が形成され、基端側に前記取付雌部に取り付けられる取付雄部が形成され、内部に先端側から基端側に貫く貫通孔が形成され、前記取付雄部が前記取付雌部に取り付けられることによって前記開口孔部と前記貫通孔とを連通させ、前記貫通孔に前記弁体を付勢力に抗して押圧作動するための作動軸が設けられたプラグ具を、前記蓋具を取り外した前記弁閉塞具の取付雌部に取り付けたことを特徴とする請求項６に記載のガス配管の試験孔構造。
【発明の詳細な説明】
【技術分野】
【０００１】
本発明は、気密試験や漏洩試験等に用いられる試験孔を構成するためにガス配管に取り付けられる試験孔構成具及び試験孔構造に関する。
【背景技術】
【０００２】
ガス事業者は、ガス配管の気密試験や漏洩試験を行って配管に漏れがないことを確保することが義務付けられている。気密試験は、建物の竣工時のガス配管の検査及びガスメータ交換時の検査として行われる。ガスメータはメータ検定有効期限（例えば、１０年）に近づくと、新規なメータに交換しなければならず、ガスメータの交換時には、気密試験の他にガスメータ内の空気をガスに置換するためのエアパージも行われる。つまり、ガス配管は定期的に気密試験等を受けて、ガス漏洩が未然に防止されている。
【０００３】
ここで、ガス配管の気密試験等の際において、ガス漏れが発生すると、特に地下街に敷設されたガス配管においては、少しのガス漏れでも大きな懸念を生じさせる。そこで、気密試験等を行うときに、ガス配管からガス漏れを生じさせない技術が開発されている（特許文献１参照）。
【０００４】
この従来の技術は、ガス配管の上流側に設けられたガスメータの継手部分に試験孔を形成し、この試験孔に試験器具等を接続することがなされている。この従来例では、この試験孔にプラグを取り付けて、試験器具を容易に着脱できるようにすると共に、試験孔の開口状態を漏洩試験時の小さな開口とエアパージ時の大きな開口とに切り換えることなどが提案されている。
【０００５】
図６は、この従来例を示し、ガス配管Ｌの試験孔形成部Ｌａの開口部にプラグＰを取り付けたものである。このプラグＰは、プラグ本体Ｐ１、弁体Ｐ２、弁体Ｐ２を常時閉塞状態に付勢するバネＰ３によって構成されている。
【０００６】
プラグ本体Ｐ１は、試験孔形成部Ｌａの開口部に螺合されるネジ部Ｐ１１を有すると共に、試験器具のソケットが接続する接続部Ｐ１２を有しており、その内部には、ガス流通経路として３段階の開口径を有する開口孔（開口孔Ｐ１３，Ｐ１４，Ｐ１５）が形成されている。また、弁体Ｐ２は、プラグ本体Ｐ１のガス流通経路において開口孔Ｐ１３から開口孔Ｐ１４に至るテーパ面に形成された弁座Ｐ１６に当接してガス流通経路を閉塞させるテーパ面Ｐ２１を有すると共に、前記の開口孔Ｐ１４に密接する外周面Ｐ２２を有しており、更にこの外周面Ｐ２２にガス流通溝が形成されている。また、弁体Ｐ２の図示上端には、開口孔Ｐ１３内に突出する作動軸Ｐ２３が設けられている。
【０００７】
この従来例のプラグＰによると、常時はバネＰ３の付勢力によって弁体Ｐ２のテーパ面Ｐ２１がプラグ本体Ｐ１の弁座Ｐ１６に当接してガス流通経路を閉塞しており、プラグ本体Ｐ１の接続部Ｐ１２に試験器具のソケットを接続することで、このソケットが備える押圧部が作動軸Ｐ２３を押圧して弁体Ｐ２のテーパ面Ｐ２１がプラグ本体Ｐ１の弁座Ｐ１６から離れ、弁体Ｐ２の外周面Ｐ２２に形成されたガス流通溝を経由したガス流通経路が開放されることになる。また、エアパージ時には、更に作動軸Ｐ２３を押し下げる補助軸を介して弁体Ｐ２を押圧することによって、弁体Ｐ２のテーパ面Ｐ２１を開口孔Ｐ１５に落とし込み、弁体Ｐ２と開口孔Ｐ１５の間隙を介したガス流通経路を開放するようにしている。
【０００８】
【特許文献１】特開平７−３３３１００号公報
【発明の開示】
【発明が解決しようとする課題】
【０００９】
前述した従来例のように、ガス配管の試験孔形成部にプラグを取り付けたものでは、プラグの非使用時には、プラグの接続部にねじ込み式等の保護キャップを被せることがなされている。しかしながら、このプラグを取り付けたガスメータの継手部分が一般人の目に付き易い場所である場合には、特殊な工具が無くても、保護キャップを外してプラグの開口孔を露出させることができ、いたずら等によってガス漏洩が生じやすいという問題がある。
【００１０】
本発明は、このような問題に鑑みてなされたものであり、ガス配管の試験孔を簡易に悪用することができないガス配管の試験孔構成具及び試験孔構造を提供することを目的とする。
【課題を解決するための手段】
【００１１】
このような課題を解決するために、本発明は、ガス配管の途中に開口する試験孔形成部に取り付けられる取付部（例えば、実施形態における取付雄ねじ部１１ａ）が基端側に形成され、該基端側の内部に試験孔形成部に連通する開口室部を有すると共に、該開口室部から先端側に通じる開口孔部を有し、開口室部には、開口孔部を閉塞するように付勢された弁体が設けられ、先端側の内部には開口孔部に連通する凹状の取付雌部（例えば、実施形態における取付雌ねじ部１１ｄ）が形成された弁閉塞具と、取付雌部に取り付けられる取付雄部（例えば、実施形態における取付雄ねじ部２１ａ）が形成され、該取付雄部を取付雌部に取り付けることによって開口孔部を塞ぐ蓋具と、先端側に接続部が形成され、基端側に取付雌部に取り付けられる取付雄部（例えば、実施形態における取付雄ねじ部４１ｃ）が形成され、内部に先端側から基端側に貫く貫通孔が形成され、取付雄部が取付雌部に取り付けられることによって開口孔部と貫通孔とを連通させ、貫通孔に弁体を付勢力に抗して押圧作動するための作動軸が設けられたプラグ具とを有してなることを特徴とする。
【００１２】
この発明によれば、ガス配管の途中に開口部を形成する試験孔形成部に、弁閉塞具を取り付け、その弁閉塞具に蓋具を取り付けると、試験孔非使用時の試験孔構造を構成し、また、弁閉塞具に取り付けられた蓋具を取り外して、そこにプラグ具を取り付けることによって、試験孔使用時の試験孔構造を構成することができる。
【００１３】
また本発明は、プラグ具の作動軸は、貫通孔に摺動可能に嵌合する摺動部と該摺動部の基端側に突設されて弁体を押圧する押圧部とを有してなり、摺動部に貫通孔の先端側と基端側とを連通する連通孔が形成されていることを特徴とする。
【００１４】
この発明によれば、作動軸は、貫通孔に摺動可能に嵌合する摺動部と弁体を押圧する押圧部とを有してなり、摺動部に連通孔を形成することにより、作動軸が弁体側に押されて移動すると付勢力に抗して弁体を移動させて開口孔部を開口させて、貫通孔が開口孔部に連通して、弁体によるガス流通経路の閉塞を開放することができる。
【００１５】
また本発明は、蓋具は、弁閉塞具の取付雌部を覆って塞ぐフランジ部を備え、該フランジ部の側面に特殊工具と係合して蓋具の着脱操作を可能にする切り欠きが形成されていることを特徴とする。
【００１６】
この発明によれば、蓋具はフランジ部を備え、このフランジ部の側面に特殊工具と係合して蓋具の着脱操作を可能にする切り欠きを設けることによって、特殊工具がなければ蓋具の取り外しが困難となり、いたずら等による蓋具の取り外しを未然に防止して、保安効果を高めることができる。
【００１７】
さらに本発明は、特殊工具及び蓋具の少なくともいずれかは特殊工具及び蓋具が互いに引き合うような磁性を有することを特徴とする。
【００１８】
この発明によれば、特殊工具及び蓋具の少なくともいずれかはこれらが互いに引き合うような磁性を有することによって、特殊工具によって蓋具を弁閉塞具から取り外したり、蓋具を弁閉塞具に取り付けたりするときに、蓋具が特殊工具から落下する事態を未然に防止することができ、蓋具の着脱作業の操作性を向上することができる。
【００１９】
また本発明は、弁閉塞具の先端側に形成された凹部（例えば、実施形態における封止部材受け部１１ｅ）にフランジ部が収容され、且つ蓋具の取付雄部が弁閉塞具の取付雌部に取り付けられた状態で、弁閉塞具の先端側端部に取り付けられてフランジ部と凹部との間に形成される隙間を覆うキャップ具を備えることを特徴とする。
【００２０】
この発明によれば、凹部にフランジ部が収容され、蓋具の取付雄部が弁閉塞具の取付雌部に取り付けられた状態で、弁閉塞具の先端側端部にフランジ部と凹部との間に形成される隙間を覆うキャップ具を取り付けることにより、キャップ具によって蓋具を保護するとともに、フランジ部と凹部との間の隙間を覆うことができる。このため、隙間内に、建物の外壁保全工事等による塗料等が侵入して固化する事態を確実に防止することができ、蓋部の取り外し作業の作業性の低下を未然に防止することができる。
【００２１】
また本発明は、ガス配管の途中に開口する試験孔形成部を設け、内部に試験孔形成部に連通する開口孔部を有して、該開口孔部を閉塞するように付勢する弁体が設けられた弁閉塞具を、試験孔形成部に取り付け、弁閉塞具の先端側に形成されて開口孔部に連通する取付雌部に、フランジ部の側面に特殊工具によって着脱操作を可能にする切り欠きを備えた蓋具を取り付けたことを特徴とする。
【００２２】
この発明によれば、ガス配管の途中に設けられた試験孔形成部に、弁閉塞具を取り付け、その弁閉塞具に蓋具を取り付けることで、試験孔非使用時の試験孔構造を構成することができる。
【００２３】
また本発明は、先端側に接続部が形成され、基端側に取付雌部に取り付けられる取付雄部が形成され、内部に先端側から基端側に貫く貫通孔が形成され、取付雄部が取付雌部に取り付けられることによって開口孔部と貫通孔とを連通させ、貫通孔に弁体を付勢力に抗して押圧作動するための作動軸が設けられたプラグ具を、蓋具を取り外した弁閉塞具の取付雌部に取り付けたことを特徴とする。
【００２４】
この発明によれば、ガス配管の途中に設けられた試験孔形成部に弁閉塞具を取り付け、蓋具を取り外した弁閉塞具にプラグ具を取り付けることで、試験孔使用時の試験孔構造を構成することができる。
【発明の効果】
【００２５】
本発明に係わるガス配管の試験孔構成具及び試験孔構造によれば、ガス配管の途中に開口する試験孔形成部に取り付けられて開口孔部を閉塞するように付勢された弁体を備えた弁閉塞具と、開口孔部を塞ぐ蓋具と、蓋具を取り外した弁閉塞具に取り付けられて弁体を付勢力に抗して押圧作動するための作動軸を備えたプラグ具とを有して構成することによって、ガス配管の試験孔を簡易に悪用することができないガス配管の試験孔構成具及び試験孔構造を提供することができる。
【発明を実施するための最良の形態】
【００２６】
以下、本発明に係わるガス配管の試験孔構成具及び試験孔構造の好ましい実施の形態を図１から図５に基づいて説明する。なお、本実施の形態は、ガス配管のうちガスメータに接続した継手部分に設けられた試験孔形成部に取り付けられる試験孔構成具及び試験孔構造を例にして説明する。先ず、本発明のガス配管の試験孔構成具及び試験孔構造を説明する前に、試験孔構成具が取り付けられてガスメータに繋がる継手部分に形成された試験孔形成部について説明する。
【００２７】
試験孔形成部Ｌａは、図１（断面図）に示すように、ガスメータ(図示せず)に繋がる継手部分のガス配管Ｌから突出して開口した孔部を示している。試験孔形成部Ｌａには、後述する弁閉塞具１０の取付雄ねじ部１１ａに螺合する取付雌ねじ部Ｌａ1が形成されている。
【００２８】
さて、この試験孔形成部Ｌａに取り付けられる本発明の試験孔構成具1は、試験孔形成部Ｌａに取り付けられる弁閉塞具１０、この弁閉塞具１０の先端側に選択的に取り付けられる蓋具２０及びプラグ具４０とを有してなる。
【００２９】
弁閉塞具１０は弁閉塞具本体１１を備え、弁閉塞具本体１１の基端側には試験孔形成部Ｌａの取付雌ねじ部Ｌａ1に螺合して取り付けられる取付雄ねじ部１１ａが形成され、その内部には試験孔形成部Ｌａの開口部Ｌａ０に連通する開口室部１１ｂと、開口室部１１ｂから弁閉塞具本体１１の先端側に通じる開口孔部１１ｃが形成されている。開口室部１１ｂには開口孔部１１ｃを閉塞するように配設された圧縮ばね１４によって付勢された弁体１２が設けられ、弁閉塞具本体１１の先端側の内部には開口孔部１１ｃに連通する凹状の取付雌ねじ部１１ｄが形成されている。
【００３０】
更に詳細には、弁閉塞具本体１１の基端側内部には、圧縮ばね１４のばね座を形成するとともに開口部Ｌａ０に連通する孔部１３ａを有する止め部材１３が取り付けられている。この止め部材１３に支持されて開口室部１１ｂ内に圧縮ばね１４が配備されている。そして、この圧縮ばね１４の付勢力によって、弁体１２の先端テーパ面が開口孔部１１ｃの端部に形成されるテーパ状の弁座に当接することで、弁体１２が開口孔部１１ｃを閉塞するようになっている。取付雌ねじ部１１ｄの先端側の弁閉塞具本体１１には凹状の封止部材受け部１１ｅが形成されている。
【００３１】
なお、弁閉塞具本体１１における取付雄ねじ部１１ａ及び取付雌ねじ部１１ｄは、ねじによる取付構造であるが、気密な取り付けが可能であれば他の構造を採用することもできる。
【００３２】
このような弁閉塞具１０の取付雌ねじ部１１ｄに取り付けられる蓋具２０は、蓋具本体部２１を備える。蓋具本体部２１の基端側端部には、取付雌ねじ部１１ｄに取り付けられる取付雄ねじ部２１ａが形成され、蓋具本体部２１の先端側端部には弁閉塞具１０の取付雄ねじ部２１ａを覆って塞ぐフランジ部２１ｂが形成されている。取付雄ねじ部２１ａを弁閉塞具１０の取付雌ねじ部１１ｄに螺合することによって、弁閉塞具１０の開口孔部１１ｃを塞ぎ、さらにフランジ部２１ｂを封止部材受け部１１ｅに密着することによって、開口孔部１１ｃを確実に閉塞することができる。
【００３３】
フランジ部２１ｂの側面には、図２（ａ）及び（ｂ）に示すように、対向して配置されて特殊工具と係合して蓋具２０の着脱操作を可能にする直線状に延びる一対の切り欠き２１ｃが形成されている。したがって、この蓋具２０を図１に示す弁閉塞具１０から着脱する際には、一対の切り欠き２１ｃに特殊工具を装着する必要があり、特殊工具無しには容易に蓋具２０の着脱ができないようになっている。なお、切り欠き２１ｃは、フランジ部２１ｂの外周に３つ以上設けられたり、湾曲形状や屈曲形状を有して形成されたりしてもよい。また図２（ｃ）、（ｄ）、（ｅ）に示すように、蓋具２０のフランジ部２１ｂは、矩形状、多角形状、角部が面取りされた多角形状に形成されてもよい。蓋具２０と特殊工具の少なくともいずれかは、互いに引き合うような磁性を帯びている。このため、特殊工具によって蓋具２０を弁閉塞具１０に着脱する際に、蓋具２０が特殊工具から落下する事態を未然に防止することができ、蓋具２０の着脱作業の操作性を向上させることができる。
【００３４】
また、図１に示すように、この蓋具２０に換わって、弁閉塞具１０の取付雌ねじ部１１ｄに取り付けられるプラグ具４０は、プラグ具本体４１の先端側から後端側に接続部４１ａ、把持部４１ｂ及び取付雄ねじ部４１ｃが形成されている。接続部４１ａは、図３（ｂ）に示すように、プラグ具本体４１の先端部に環状溝４１ａ1を有して構成されている。把持部４１ｂは接続部４１ａよりも大径であり、外周にローレット目が形成されて滑りを防止している。プラグ具本体４１の基端側には図１に示す取付雌ねじ部１１ｄに取り付けられる取付雄ねじ部４１ｃが形成されている。プラグ具本体４１の内部には、図３（ａ）及び（ｃ）に示すように、先端側から後端側に貫通する貫通孔４３が形成されている。貫通孔４３は、小径孔部４４とこの先端側の途中に形成されて小径孔部４４よりも大径な大径孔部４５とを有して形成されている。このため、大径孔部４５の先端側と後端側の両端部には段部４６が形成されている。
【００３５】
このように形成された貫通孔４３に作動軸が挿着されている。作動軸５０は、図４（ａ）及び（ｂ）に示すように、図３（ｃ）に示す貫通孔４３に摺動可能に嵌合する摺動部５１とこの基端側に突設されて図１に示す弁体１２を押圧する押圧部５３とを有してなる。摺動部５１は筒状であって軸心方向に延び、内部に軸心方向に延びる軸部５１ａが配設され、軸部５１ａの外周には、周方向に所定間隔を有して配置されて放射状に延びて摺動部５１の周壁に繋がるリブ５１ｂが複数設けられている。このため、複数のリブ５１ｂ間には、摺動部５１を貫く連通孔５２が形成されている。そして、これらの連通孔５２は図１に示す貫通孔の先端側と基端側を連通している。摺動部５１の先端部には弾性変形によって軸部５１ａに接近動及び離反動可能に支持された係止部５１ｃが周方向に所定間隔を有して複数配設されている。この係止部５１ｃは、図３（ｃ）に示す段部４６に当接することで、作動軸５０の貫通孔４３からの抜脱を規制している。軸部５１ａの後端側は、摺動部５１からさらに突出して延びて、押圧部５３を形成している。
【００３６】
なお、作動軸５０は、合成樹脂材料製であって一体成形され、押圧部５３を図３（ｃ）に示す貫通孔４３の先端側開口部から挿入することによって、貫通孔４３内に挿着される。
【００３７】
したがって、図１に示すように、このプラグ具４０における取付雄ねじ部４１ｃを弁閉塞具１０の取付雌ねじ部１１ｄに取り付けることによって、弁閉塞具１０の開口孔部１１ｃとプラグ具４０の貫通孔４３とが連通されることになる。また、作動軸５０は、軸方向に摺動することで、弁閉塞具１０の弁体１２をバネ１４の付勢力に抗して押圧作動する機能を有する。なお、作動軸５０は、プラグ具４０の接続部４１ａに図示しない試験器具の接続部が取り付けられると、押圧されてプラグ具４０の基端側に移動するようになっている。
【００３８】
次に、前述した試験孔構成具１を用いたガス配管Ｌの試験孔構造を図５（ａ）及び（ｂ）によって説明する。なお、図５（ａ）及び（ｂ）においては、図１と同一態様部分については同一符号を付してその説明を省略する。
【００３９】
図５（ａ）は、本発明の実施形態に係るガス配管Ｌの試験孔構造であって、試験孔非使用時の状態を示すものである。この際には、試験孔形成部Ｌａに弁閉塞具１０を取り付けて、弁閉塞具１０の取付雌ねじ部１１ｄに蓋具２０を取り付ける。蓋具２０の取り付けに際しては、弁閉塞具１０の封止部材受け部１１ｅと蓋具２０のフランジ部２１ｂとの間に封止部材（パッキン等）２５が設けられて、弁閉塞具１０内の防水性能が確保されている。また、弁閉塞具本体１１、蓋具２０、封止部材２５を耐火材料製にすることで、全体の耐火性能を確保している。
【００４０】
この状態では、弁閉塞具１０の先端側は蓋具２０の取り付けによって平坦になっているので、試験孔の存在自体が目立たない状態になっており、これによって、いたずら等の発生を抑制する効果が得られる。また、プラグ機能を有する構造がないので、試験孔を悪用してガスを取り出すことができないようになっている。
【００４１】
また、蓋具２０の側面２０ｂに設けられた切り欠き２１ｃを操作するためには特殊工具が必要になるので、この特殊工具無しには容易に蓋具２０を取り外すことができない。また、仮に蓋具２０が取り外された場合にも、弁閉塞具１０内の開口室部１１ｂに設けられた弁体１２は、バネ１４によって付勢されて開口孔部１１ｃを閉塞しているので、ガスが漏洩することはない。更に、この弁閉塞具１０における弁体１２には図５（ｂ）に示す押圧部５３が連結されていないので、開口孔部１１ｃの径を充分小さくしておけば、容易に弁体１２を押し下げることはできない。
【００４２】
また、蓋具２０が弁閉塞具１０の先端部に取り付けられた状態で、弁閉塞具１０の先端部全体を覆うキャップ具６０を弁閉塞具１０の先端部に取り付けると、蓋具２０のフランジ部２１ｂと弁閉塞具１０の先端部に形成された封止部材受け部１１ｅとの間に形成された隙間２７を覆うことができる。このため、隙間２７内に、建物の外壁保全工事等による塗料等が侵入して固化して塞ぐ事態を確実に防止することができ、蓋部２０の取り外し作業の作業性の低下を防止することができる。
【００４３】
したがって、本発明の実施形態においては、試験孔の非使用時には、試験孔の保安性を充分に確保することができ、試験孔を容易に悪用することができず、さらに隙間が詰まらない構造になっている。
【００４４】
そして、図５（ｂ）は、作業者が特殊工具を用いて蓋具２０を取り外し、それに換えて弁閉塞具１０の取付雌ねじ部１１ｄにプラグ具４０を取り付けた状態を示している。
【００４５】
この状態では、プラグ具４０の接続部４１ａに試験器具の接続部を接続するだけで、簡易に試験を行うことができる。すなわち、接続部４１ａに試験器具の接続部を接続すると、その接続部の機能によって、矢印Ａで示すように、プラグ具４０の貫通孔４３内に挿着された作動軸５０が押圧されて軸方向に摺動することになり、この作動軸５０の押圧部５３が弁閉塞具１０の開口孔部１１ｃ内に挿入して弁体１２を押し下げ、試験孔形成部Ｌａの開口部Ｌａ０〜孔部１３ａ〜開口室部１１ｂ〜開口孔部１１ｃ〜貫通孔４３に至るガス流通経路を形成し、試験孔を開放状態にする。これによって、試験器具の接続部を接続するだけで、簡単に試験孔を開放して漏洩等の試験を行うことが可能になる。
【００４６】
すなわち、本発明の実施形態においては、蓋具２０の取り外すための専用の特殊工具や専用のフラグ具３０を持たない人は、簡易に試験孔を開放することができないようになっており、逆に、このような専用具を所有する専門作業者にとっては、簡易に試験孔を開放して試験等の作業を行うことができるようになっている。
【００４７】
なお、前述した実施の形態では、試験孔形成部Ｌａとしてガスメータに繋がる継手部分のガス配管Ｌに形成された孔部を示したが、試験孔形成部Ｌａは、建物の外側に延びるガス配管Ｌの途中や屋内に設置された大型のガス機器に繋がるガス配管であって作業者が作業を行うことが可能な位置に配置されていれば、いずれの位置に形成されてもよい。
【００４８】
以上説明したように、本発明の実施形態によると、専門の作業者によってガス配管Ｌの試験孔を適正に使用する場合には、試験器具の接続等を簡易に行うことができ、試験等の良好な作業性が得られるが、それ以外の人がこの試験孔を簡易に悪用することができない構造の試験孔を構成することができる。
【図面の簡単な説明】
【００４９】
【図１】本発明の一実施の形態に係わるガス配管の試験孔構成具の断面図を示す。
【図２】このガス配管の試験孔構成具の一部である蓋具を示し、同図（ａ）は蓋具の正面図であり、同図（ｂ）は蓋具の側面図であり、同図（ｃ）から（ｅ）は蓋具のフランジ部の他の形状を示した正面図である。
【図３】ガス配管の試験孔構成具の一部であるプラグ具を示し、同図（ａ）はプラグ具の先端側の側面図であり、同図（ｂ）はプラグ具の正面図であり、同図（ｃ）は同図（ｂ）のIII−III矢視に相当するプラグ具の断面図である。
【図４】プラグ具の構成部品である作動軸を示し、同図（ａ）は作動軸の先端側の側面図であり、同図（ｂ）は作動軸の正面図であり、同図（ｃ）は同図（ａ）のIV−IV矢視に相当する作動軸の断面図である。
【図５】プラグ具の試験孔構造を示し、同図（ａ）は試験孔非使用時の試験孔構造の断面図であり、同図（ｂ）は試験孔使用時の試験孔構造の断面図である。
【図６】プラグ具の従来の試験孔構造を示す。
【符号の説明】
【００５０】
１  試験孔構成具
１０  弁閉塞具
１１ａ  取付雄ねじ部（取付部）
１１ｂ  開口室部
１１ｃ  開口孔部
１１ｄ  取付雌ねじ部（取付雌部）
１１ｅ  封止部材受け部（凹部）
１２  弁体
２０  蓋具
２１ａ、４１ｃ  取付雄ねじ部（取付雄部）
２１ｂ  フランジ部
２１ｃ  切り欠き
２７  隙間
４０  プラグ具
４１ａ  接続部
４３  貫通孔
５０  作動軸
５１  摺動部
５２  連通孔
５３  押圧部
６０  キャップ具
Ｌ  ガス配管
Ｌａ  試験孔形成部
【図１】
2006118955.tif 000003
【図２】
2006118955.tif 000004
【図３】
2006118955.tif 000005
【図４】
2006118955.tif 000006
【図５】
2006118955.tif 000007
【図６】
2006118955.tif 000008